(57)【要約】【課題】拇指球部分と踵部分に窪みと突起を設けることで、スムーズで安定した歩行が可能となり、足や身体に掛かる負担を軽減することができる履物の中敷を提供する。【解決手段】拇指球部に対応する位置に窪み２を設け、該窪み２に放射状の突起３を設け、踵部に対応する位置に窪み４を設け、該窪み４に略砲弾型の突起５を設けた。前記、放射状の突起３は右足用を反時計回りに、左足用を時計回りに湾曲させたことで、正しい歩行姿勢を促すようにした中敷である。【選択図】図１
2020130974.tif 000002
【特許請求の範囲】
【請求項１】
履物の中敷（１）において、拇指球部と踵部に対応する位置に窪み（２、４）を設け、該窪み（２・４）に突起（３・５）を設け、足裏の土踏まず部に対応する位置の裏部に凸状のパネル（１１）を設けたことを特徴とする履物の中敷。
【請求項２】
前記、窪み（２・４）に設けた突起（３・５）は、拇指球部に対応する突起（３）は円柱部（１３）から複数の円柱部（１４）迄、放射状に広がっており、踵部に対応する突起（５）は略砲弾型になっていることを特徴とする請求項１に記載の履物の中敷。
【請求項３】
前記、放射状に広がった複数の突起（３）は右足用を反時計周りの方向に、左足用を時計周りの方向に湾曲させていることを特徴とする請求項１〜２のいずれか１項に記載の履物の中敷。
【請求項４】
前記、中敷（１）の踵部後端に踵の形状に合わせたカウンター（９）を設けたことを特徴とする請求項１〜３のいずれか１項に記載の履物の中敷。
【請求項５】
前記、中敷（１）の前部に凸状の指枕部（７）を設け、該指枕部（７）から前記パネル（１１）に至るまでの該中敷（１）の厚みを漸減させていることを特徴とする請求項１〜４のいずれか１項に記載の履物の中敷。
【発明の詳細な説明】
【技術分野】
【０００１】  本発明は靴やサンダルなど履物の中敷に関するものであり、歩行や運動時にいろいろな働きをする足裏の拇指球部分と踵部分に適合するように窪みや突起を設けた中敷に関するものである。
【背景技術】
【０００２】  足裏に作用するように突起を設けたり、磁石を埋め込んだりといろいろな方法で刺激を与えて血行を増進させる靴や中敷は公知である。【０００３】  従来、人が靴を履いて歩行や走行する場合、足や身体に大きな負担がかかるという課題がある。このため、靴の中敷に凸部や凹部を設けて、拇指部や踵部を中敷にフイットさせ、安定した歩行を可能とし、足や身体にかかる負荷を軽減させるための中敷が、特許文献１、特許文献２等で提案されている。
しかし、理想的な歩行として、歩行時につま先が一旦内側に向き、足が地面から離れる際、進行方向に真っ直ぐになることで、脛骨が外向きに捻じれる動きをすることで、衝撃を吸収し、膝や骨への負担が軽減されるものであるが、凸部や凹部だけでは、歩行や走行時、踵から踏み出し足指からスムーズな体重移動を行なうことが難しいという課題がある。【０００４】  本発明は足裏の拇指球部分に窪みを設け、その中に放射状に広がった突起を配設し、又、安定性を強化するために踵部分にも窪みと突起を施すことで相乗効果により安定した歩行や運動を補う中敷を提供しようとするものである。
【先行技術文献】
【特許文献】
【０００５】
【特許文献１】特開２００６−１９８３９９
【特許文献２】特開２０１５−８５１３４
【発明の概要】
【発明が解決しようとする課題】
【０００６】  上記のように足裏の拇指球部分や踵部分に安定性や運動力が増す窪みや突起を施した靴や中敷は現在のところ知られていない。【０００７】  本発明はこの点に鑑みてなされたもので、足裏の拇指球と踵部分を捉えて刺激することで意識させ、この部分の窪みや突起を使って歩行や運動時にストップしたり、蹴り上げたり、方向転換させて運動機能を向上させ筋肉を作り、老化を防ぐ中敷を提案しようとするものである。
【課題を解決するための手段】
【０００８】  本発明に係る履物の中敷は次のように構成される。拇指球部と踵部に対応する位置に窪み２・４を設け、該窪み２・４に突起３・５を設け、足裏の土踏まず部に対応する位置の裏部に凸状のパネル１１を設けた履物の中敷であり、前記、窪み２・４に設けた突起３・５は、拇指球部に対応する突起３は円柱部１３から複数の円柱部１４迄、放射状に広がっており、踵部に対応する突起５は略砲弾型に形成している。そして、前記、放射状に広がった複数の突起３は右足用を反時計周りの方向に、左足用を時計周りの方向に湾曲させている。そして、前記、中敷１の踵部後端に踵の形状に合わせたカウンター９を設け、前記、中敷１の前部に凸状の指枕部７を設け、該指枕部７から前記パネル１１に至るまでの該中敷１の厚みを漸減させるように形成した。
【発明の効果】
【０００９】  本発明の中敷は歩行や運動時の体の負担を軽減させる事で、体を動かしやすくする効果がある。歩行の際、踵から踏み出し着地、足裏を使いながら外側（小指側）から体重移動し、つま先と拇指球を使って蹴り上げ、反動をつけてもう一方の上げた足が前進することになる。しかし衝撃を吸収するための拇指球は膨らんでいるため重心を捉えづらい。ぶれずに地面を捉えた動きをするには、拇指球部分に重心をしっかり乗せることが大事である。拇指球に対応する窪みは拇指球部分で、体重をしっかり捉え、該窪みに放射状突起が前進方向へと押し出す力となる。この窪みと突起はどの方向にもバランスよく動くことができるので方向転換が自在である。中敷が拇指球をしっかり捉えるので片足立ちも安定して出来る。【００１０】  踵は足底圧が高く着地した踵に全体重がかかり、その負担は足首から膝・股関節・腰・首・頭上にまで及ぶ。踵部に設けた窪みは踵をすっぽりと包み込むように中敷と一体になり固定出来るので、重圧を吸収して地面に逃し、該窪みに設けた突起が骨への負担を分散させる働きをする。又、踵が窪みにすっぽり入ることにより、着地がぶれず方向が定まり足裏の外側（小指側）に体重移動がスムーズに出来るため、足首や膝への負担が軽減できる。拇指球部と踵部の中敷による相乗効果で運動機能が向上するものである。
【図面の簡単な説明】
【００１１】
【図１】本発明の中敷の平面図である。
【図２】図１のＸ−Ｘ’線において中敷を切断したときの構造を示す断面矢視図である。
【図３】図１のＹ−Ｙ’線において中敷を切断したときの構造を示す断面矢視図である。
【図４】本発明の中敷の放射状突起の左足用の拡大図である。
【図５】本発明の中敷の放射状突起の右足用の拡大図である。
【発明を実施するための形態】
【００１２】  本発明の履物の中敷１を図面に基づき、詳述する。
図１は本発明の右足用の中敷１の平面図であり、指先側から踵側まで一体で成型加工している。該中敷１の素材は合成ゴム、ポリエステル、ポリウレタン、シリコン樹脂、ＥＶＡ樹脂、コルク等を用いるが、成型加工できる素材であれば、特に限定しない。該中敷１の表面は布等の部材で被覆してもよいが、素材そのままで使用できるものであれば、被覆無しでもよい。
【００１３】  図２は、図１のＸ−Ｘ’線において、該中敷１を切断したときの親指側から見た構造を示す断面矢視図である。該中敷１の厚みは部位によって変えており、符号６は指先が乗るつま先部であり、厚みは略３〜４ｍｍとし、指先から該中敷１の先端まで略１〜１．５ｍｍの捨て寸を設けている。符号７は、指の根本が乗る指枕部であり、略５〜７ｍｍの厚みとしており、歩行時、足が前滑りしないための滑り止めの役目をするものである。底面部８の裏面には強化合成ゴムで成型したパネル１１で補強しているので、歩行時にバネのように足裏アーチ部分を持ち上げるため、長時間歩行しても疲れにくい構造をしている。
【００１４】  該中敷１の踵部には、踵を後側からホールドするようにカウンター９を立設しており、該カウンター９によって踵部をカバーし、足逃げと靴擦れが防止できるようにしている。該カウンター９の厚みは略２〜３．５ｍｍで成型している。
【００１５】  符号２は拇指球部に設けた窪みであり、底面の厚みを略３〜３．５ｍｍとしており、拇指球が該窪み２に当接し、固定されるようになっている。図３は、図１のＹ−Ｙ’線において該中敷１を切断したときの小指側から見た構造を示す断面矢視図であり、小指部に当接する部位の厚みは略５〜６ｍｍとしており、拇指球側よりも小指側の厚みを厚くすることで、開いた膝が閉じやすくなり、Ｏ脚を防止したり、Ｏ脚の改善が見込めるものである。又、毎日該中敷１を使用して歩行することにより、つま先が真っ直ぐ向くように歩行が矯正され、正しい歩行姿勢で歩けるようになるものである。
【００１６】  次に、前記中敷１の拇指球部分と踵部分の構造について図１〜図５に基づき詳述する。該中敷１の作用として、運動器（筋肉、関節、骨）の強化と運動機能を向上させることで、生涯自分の足で歩く、立ち座りや階段の昇降が自由にできる、といった日常生活が自然体で出来ることの習慣性を養うことである。拇指球が担う役目は、衝撃を吸収する、踏ん張る、地面を捉える、バランスをとる、方向転換する、蹴り出す等、多くの働きをしている。そのために前後のバラツキを無くし、安定した運びが出来るように重心を拇指球部分に乗せることが重要である。該窪み２は拇指球をしっかり捉え、安定させ、バランスを整えられるので、片足立ちやスクワット、方向転換等、運動が容易となる。
【００１７】  該窪み２は、略すり鉢円形状をしており、上部の直径は略３．５〜５ｃｍであり、中央の最深部では略５〜６．５ｍｍの深さがあり、漸増しながら上部に繋がっている。該窪み２の厚みは略３〜３．５ｍｍであり、上部に行くにしたがって厚みは漸増し、前記指枕部７の高さまで連接している。
【００１８】  該窪み２の内部には、突起３を配設しており、該突起３は該窪み２の中心部に円柱部１３を配設し、該窪み２の円周近傍に複数の円柱部１４を均等に配設し、該円柱部１３と該円柱部１４とをリブ１２で連接して構成している。中央の円柱部１３は直径が略６〜８ｍｍであり、該円柱部１４の直径は略３〜５ｍｍで、前記円柱部１３の中心から該円柱部１４の中心までの寸法は略１〜１．５ｃｍである。また、該突起３の高さは略３〜５ｍｍである。本実施例では、リブ１２と円柱部１４をそれぞれ、６個設けているが、特に６個に限定するものではない。
例えば、３〜１０個程度でも良いことは勿論のことである。
【００１９】  図４は、左足用の中敷１に配設している突起３の拡大図である。該突起３は円柱部１３、リブ１２、円柱部１４で構成されており、中心の円柱部１３とこの円柱部１３の同心上に６個の円柱部１４を配設し、該円柱部１３と該円柱部１４とを６本のリブ１２で接続している。該リブ１２は時計回りの方向に湾曲させている。図５は、右足用の中敷１に配設している突起３の拡大図であり、左足用と同様に、円柱部１３、リブ１２、円柱部１４で構成されており、該リブ１２は反時計回りの方向に湾曲させている。このように、該突起３を双方内側（親指側）に向いて流れるように形成しているため、歩行時つま先がいったん内側に向くよう
2020130974.tif 000003
骨（下腿骨）が外向きにねじれる働きをすることで、衝撃を吸収し膝や骨・軟骨への負担が軽減される。Ｏ脚や変形性膝関節症の人は最終伸展域で脛骨を外施させることができないため、膝にダメージを与えている。本発明の中敷１の拇指球部分に配設した放射状の突起３は受動的にその動きをさせるように形成したものである。
【００２０】  符号４は、踵部に配設した窪みであり、略円形状をしており、直径は略４〜６ｃｍ、深さは略５〜６ｍｍであり、該窪み４により、踵をすっぽりとホールドして安定させることができ、方向性が定まり、歩行時に土踏まずへの連携がスムーズに行え、縦アーチの維持や踵の内側への倒れこみを防ぐ効果がある。符号５は、該窪み４の中心部に配設してある突起であり、直径は略６〜１０ｍｍ、高さは略３〜５ｍｍで、全体的に略砲弾型をしている。踵には足を構成する骨の中で最も大きい踵骨があり、体重や運動時の衝撃を支える役目をするが、該突起５は、踵骨への衝撃を分散させる働きをするものである。符号１０は該中敷１の裏面に配設した衝撃吸収シートであり、前記窪み４と同心円上に固着しており、素材は特殊合成ゴムを使用し、直径は該窪み４と同じか、若干小さく制作している。該衝撃吸収シート１０により、踵が受ける衝撃を緩和し、足首や膝への負担を軽減させる作用がある。符号１１は、該中敷１において、足裏の土踏まず部に対応する位置の裏面に固着した、凸状のパネルである。踵の骨の下側と足の指の付け根（拇指球）をつないでいる足底筋膜は運動不足や加齢、また使い過ぎによる疲労などでバネの力が弱くなり、アーチの役目が果たせなくなると歩行や運動に支障が起こる。すり歩きや歩行困難も踵部と拇指球部が不安定なため、歩行の際、地面に残った足が体を支えられなくなり、もう一方の足を上げての前進が出来なくなるという現象が起こる。該凸状のパネル１１は、衰えたアーチ部をサポートするものである。アーチのバネを生かして歩くためには踵部と拇指球部の両方を安定させ、足裏と指（拇指球）を使って歩く基本的な歩行を習慣的に身に付けなければならない。本発明の中敷１はそれを実現するための補助の道具であり、継続して使用することで自然に足底筋が強化されてそれに伝導して足の筋肉全体が強化し、それに伴う関節や骨といった運動器が養われるようになるものである。
【符号の説明】
【００２１】  １  中敷
２  窪み
３  放射状突起
４  窪み
５  砲弾型突起
６  つま先部
７  指枕部
８  底面部
９  カウンター
１０  衝撃吸収シート
１１  パネル
１２  リブ
１３  円柱部
１４  円柱部
【図１】
2020130974.tif 000004
【図２】
2020130974.tif 000005
【図３】
2020130974.tif 000006
【図４】
2020130974.tif 000007
【図５】
2020130974.tif 000008
【手続補正書】
【提出日】令和2年3月9日(2020.3.9)
【手続補正１】
【補正対象書類名】明細書
【補正対象項目名】全文
【補正方法】変更
【補正の内容】
【発明の詳細な説明】
【技術分野】
【０００１】  本発明は靴やサンダルなど履物の中敷に関するものであり、歩行や運動時にいろいろな働きをする足裏の拇指球部分と踵部分に適合するように窪みや突起を設けた中敷に関するものである。
【背景技術】
【０００２】  足裏に作用するように突起を設けたり、磁石を埋め込んだりといろいろな方法で刺激を与えて血行を増進させる靴や中敷は公知である。【０００３】人は直立二足歩行で歩く事で健康を維持している。足は体の土台で大切な役割を担いながら小さな面積で体を支えている。そのため、靴の中敷に凸部を設けて土踏まずを埋めてフィットさせたり、凹部を設けて拇指部や踵部で足や体にかかる負荷を軽減させる中敷が、特許文献１、特許文献２等で提案されている。
しかし、凸や凹だけでは足首や膝にかかる負担を軽減するには充分ではない。Ｏ脚や膝関節痛といった足の疾患は老年の人ばかりではない。若年層にも増えている。歩きづらい履物や体重などの負荷も要因の一つであるが、一番には最終伸展域で脛骨を外施させることが出来ず、膝関節に負担をかけていることにある。そのため伸展終末運動の補助が必要で、歩行時外側に向いているつま先を一旦内側に向かせ、足が地面から離れる際、進行方向に真っ直ぐに戻ることである。すなわち進行方向を司る拇指球に体重が集まった時、拇指球に設置したかざ車型の突起によってつま先が自動的に内側になるよう仕向ける仕組みを作る。そのことで脛骨が外側に捻じれる伸展終末運動がおこる。膝に支障があると歩行の際、つま先を拇指球で蹴り出し、片方の足が前に踏み出すことが出来づらくなり、筋肉低下やすり歩きなどの現象がおこる。課題は凸や凹だけでは歩行や走行時、踵から踏み出し、つま先までスムーズな体重移動を行うことが難しくなるということである。【０００４】  本発明は足裏の拇指球部分に窪みを設け、その中に放射状に広がったかざ車型突起を配設し、又、安定性を強化するために踵部分にも窪みと突起を施すことで歪みの原因であるズレを無くし、安定の相乗効果により歩行や運動を補う機能的な中敷を提供しようとするものである。
【先行技術文献】
【特許文献】
【０００５】
【特許文献１】特開２００６−１９８３９９
【特許文献２】特開２０１５−８５１３４
【発明の概要】
【発明が解決しようとする課題】
【０００６】  上記のように足裏の拇指球部分や踵部分に安定性や運動力が増す窪みや突起を施した靴や中敷は現在のところ知られていない。【０００７】  本発明はこの点に鑑みてなされたもので、足裏の拇指球と踵部分を捉えて刺激することで意識させ、この部分の窪みや突起を使って歩行や運動時にストップしたり、蹴り上げたり、方向転換を円滑にさせて運動機能を向上させ、ぶれの少ない歩行（走行）で筋肉を作り、老化を防ぐ中敷を提案しようとするものである。
【課題を解決するための手段】
【０００８】  本発明に係る履物の中敷は次のように構成される。図１にある拇指球部と踵部に対応する位置に窪み２・４を設け、該窪み２・４に突起３・５を設け、足裏の土踏まず部に対応する位置の裏部に凸状のパネル１１を設けた履物の中敷であり、前記、窪み２に設けた突起３は、拇指球部に対応する突起で、図４・５の円柱部中心の１３から外側に向って複数の円柱部の先１４迄が放射状に広がっており、踵部に対応する突起５は略砲弾型に形成している。そして、前記、放射状に広がった複数の突起３は図１右足用を反時計周りの方向に、左足用を時計周りの方向に湾曲させている。そして、前記、中敷１の踵部後端に踵の形状に合わせたカウンター９を設け、前記、中敷１の前部に凸状の指枕部７を設け、該指枕部７から前記パネル１１に至るまでの該中敷１の厚みを漸減させるように形成した。
【発明の効果】
【０００９】  本発明の中敷は歩行や運動時の体の負担を軽減させる事で、体を動かしやすくする効果がある。歩行の際、踵から踏み出し着地、踵を持ち上げながら最初外側（小指側）から指先へと体重移動し、つま先へと拇指球を使って蹴り上げ、反動をつけてもう一方の上げた足が前進することになる。しかし拇指球は衝撃を吸収するために丸く膨らんでおり、重心を捉えづらい。ぶれずに地面を捉えた動きをするには、拇指球部分に重心をしっかり乗せることが大事である。拇指球に対応する窪みは拇指球部分で、体重をしっかり捉え、該窪みに放射状突起が前進方向へと押し出す力となる。この窪みと突起はどの方向にもバランスよく動くことができるので方向転換が自在である。中敷が拇指球と踵をしっかり捉えるので片足立ちもふらつきを抑え安定しやすい。【００１０】  踵は足底圧が高く着地した踵に全体重がかかり、その負担は足首から膝・股関節・腰・首・頭上にまで及ぶ。踵部に設けた窪みは踵をすっぽりと包み込むように中敷と一体になり固定出来るので、重圧を吸収して地面に逃し、該窪みに設けた突起が骨への負担を分散させる働きをする。又、踵が窪みにすっぽり入ることにより、着地がぶれず方向が定まり、ふらつきを抑え足裏の外側（小指側）に体重移動がスムーズに出来るため、足首や膝への負担が軽減できる。拇指球部と踵部の中敷による相乗効果で運動機能が向上するものである。
【図面の簡単な説明】
【００１１】
【図１】本発明の中敷の平面図である。
【図２】図１のＸ−Ｘ’線において中敷を切断したときの構造を示す断面矢視図である。
【図３】図１のＹ−Ｙ’線において中敷を切断したときの構造を示す断面矢視図である。
【図４】本発明の中敷拇指球部の放射状突起の左足用の拡大図である。
【図５】本発明の中敷拇指球部の放射状突起の右足用の拡大図である。
【発明を実施するための形態】
【００１２】  本発明の履物の中敷１を図面に基づき、詳述する。
図１は本発明の右足用の中敷１の平面図であり、指先側から踵側まで一体で成型加工している。該中敷１の素材は合成ゴム、ポリエステル、ポリウレタン、シリコン樹脂、ＥＶＡ樹脂、コルク等を用いるが、成型加工できる素材であれば、特に限定しない。該中敷１の表面は布等の部材で被覆してもよいが、素材そのままで使用できるものであれば、被覆無しでもよい。
【００１３】  図２は、図１のＸ−Ｘ’線において、該中敷１を切断したときの親指側から見た構造を示す断面矢視図である。該中敷１の厚みは部位によって変えており、符号６は指先が乗るつま先部であり、厚みは略３〜４ｍｍとし、指先から該中敷１の先端まで略１〜１．５ｍｍの捨て寸を設けている。符号７は、指の根本が乗る指枕部であり、略５〜８ｍｍの厚みとしており、符号２は拇指球部に設けた窪みであり、底面の厚みを略３〜３．５ｍｍとしており、拇指球が該窪み２に当接し、固定されるようになっている。歩行時、足が前滑りしないための滑り止めの役目をするものである。底面部８の裏面には特殊合成ゴムで成型したパネル１１で補強しているので、歩行時にバネのように足裏アーチ部分を持ち上げるため、長時間歩行しても疲れにくい構造をしている。
【００１４】  該中敷１の踵部には、踵を後側からホールドするようにカウンター９を立設しており、該カウンター９によって踵部をカバーし、足逃げと靴擦れが防止できるようにしている。該カウンター９の高さは５〜７ｍｍで厚みは略２〜４ｍｍで成型している。
【００１５】図３は、図１のＹ−Ｙ’線において該中敷１を切断したときの小指側から見た構造を示す断面矢視図であり、小指部に当接する部位の厚みは略５〜８ｍｍとしており、拇指球側よりも小指側の厚みを厚くすることで、開いた膝が閉じやすくなり、Ｏ脚を防止したり、Ｏ脚の改善が見込めるものである。又、毎日該中敷１を使用して歩行することにより、つま先が真っ直ぐ向くように歩行が矯正され、正しい歩行姿勢で歩けるようになるものである。
【００１６】  次に、前記中敷１の拇指球部分と踵部分の構造について図１〜図５に基づき詳述する。該中敷１の作用として、運動器（筋肉、関節、骨）の強化と運動機能を向上させることで、生涯自分の足で歩く、立ち座りや階段の昇降が自由にできる、といった日常生活が自然体で出来ることの習慣性を養うことである。拇指球が担う役目は、衝撃を吸収する、踏ん張る、地面を捉える、バランスをとる、方向転換する、蹴り出す等、多くの働きをしている。そのために前後左右のふらつきを無くし、安定した運びが出来るように重心を拇指球部分に乗せることが重要である。該窪み２は拇指球をしっかり捉え、安定させ、バランスを整えられるので、片足立ちやスクワット、方向転換等、運動が容易となる。
【００１７】  該窪み２は、略すり鉢円形状をしており、上部の直径は略３．５〜４．５ｃｍであり、中央の最深部では略５〜６．５ｍｍの深さがあり、漸増しながら上部に繋がっている。該窪み２の厚みは略３〜３．５ｍｍであり、上部に行くにしたがって厚みは漸増し、前記指枕部７の高さまで連接している。
【００１８】  該窪み２の内部には、突起３を配設しており、該突起３は該窪み２の中心部に円柱部１３を配設し、該窪み２の円周近傍に複数の円柱部１４を均等に配設し、該円柱部１３と該円柱部１４とをリブ１２で連接して構成している。中央の円柱部１３は直径が略４〜６ｍｍであり、該円柱部１４の直径は略３〜５ｍｍで、前記円柱部１３の中心から該円柱部１４の中心までの寸法は略１〜１．５ｃｍである。また、該突起３の高さは略３〜５ｍｍである。本実施例では、リブ１２と円柱部１４をそれぞれ、６個設けているが、特に６個に限定するものではない。例えば、３〜８個程度でも良いことは勿論のことである。
【００１９】  図４は、左足用の中敷１に配設している突起３の拡大図である。該突起３は円柱部１３、リブ１２、円柱部１４で構成されており、中心の円柱部１３とこの円柱部１３の同心上に６個の円柱部１４を配設し、該円柱部１３と該円柱部１４とを６本のリブ１２で接続している。該リブ１２は時計回りの方向に湾曲させている。図５は、右足用の中敷１に配設している突起３の拡大図であり、左足用と同様に、円柱部１３、リブ１２、円柱部１４で構成されており、該リブ１２は反時計回りの方向に湾曲させている。このように、該突起３を双方内側（親指側）に向いて流れるように形成しているため、歩行時つま先がいったん内側に向くよう
2020130974.tif 000009
骨（下腿骨）が外向きにねじれる働きをすることで、衝撃を吸収し膝や骨・軟骨への負担が軽減される。Ｏ脚や変形性膝関節症の人は最終伸展域で脛骨を外施させることができないため、膝にダメージを与えている。本発明の中敷１の拇指球部分に配設した放射状の突起３は受動的にその動きをさせるように形成したものである。
【００２０】  符号４は、踵部に配設した窪みであり、略円形状をしており、直径は略４〜７ｃｍ、高さは略３〜５ｍｍであり、該窪み４により、踵をすっぽりとホールドして安定させることができ、着地時すぐ体制が整い、ふらつきを抑え、歩行時に土踏まずへの連携がスムーズに行え、縦アーチの維持や踵の内側への倒れこみを防ぐ効果がある。符号５は、該窪み４の中心部に配設してある突起であり、直径は略６〜１０ｍｍ、高さは略３〜５ｍｍで、全体的に略砲弾型をしている。踵には足を構成する骨の中で最も大きい踵骨があり、体重や運動時の衝撃を支える役目をするが、該突起５は、踵骨への衝撃を分散させる働きをするものである。符号１０は該中敷１の裏面に配設した衝撃吸収シートであり、前記窪み４と同心円上に固着しており、素材は反発素材を使用し、直径は該窪み４と同じか、若干大きく制作している。該衝撃吸収シート１０により、踵が受ける衝撃を緩和し、足首や膝への負担を軽減させる作用がある。符号１１は、該中敷１において、足裏の土踏まず部に対応する位置の裏面に固着した、凸状のパネルである。踵の骨の下側と足の指の付け根（拇指球）をつないでいる足底筋膜は運動不足や加齢、また使い過ぎによる疲労などでバネの力が弱くなり、アーチの役目が果たせなくなると歩行や運動に支障が起こる。すり歩きや歩行困難も踵部と拇指球部が不安定なため、歩行の際、地面に残った足が体を支えられなくなり、もう一方の足を上げての前進が出来なくなるという現象が起こる。該凸状のパネル１１は、衰えたアーチ部をサポートするものである。アーチのバネを生かして歩くためには踵部と拇指球部の両方を安定させ、足裏全体と指（拇指球）を使って歩く基本的な歩行を習慣的に身に付けなければならない。本発明の中敷１はそれを実現するための補助の道具であり、継続して使用することで自然に足底筋が強化されてそれに伝導して足の筋肉全体が強化し、それに伴う関節や骨といった運動器が養われるようになるものである。
【符号の説明】
【００２１】１  中敷
２  窪み
３  放射状突起
４  窪み
５  砲弾型突起
６  つま先部
７  指枕部
８  底面部
９  カウンター
１０  衝撃吸収シート
１１  パネル
１２  リブ
１３  円柱部
１４  円柱部
【手続補正２】
【補正対象書類名】図面
【補正対象項目名】図１
【補正方法】変更
【補正の内容】
【図１】
2020130974.tif 000010
【手続補正３】
【補正対象書類名】図面
【補正対象項目名】図２
【補正方法】変更
【補正の内容】
【図２】
2020130974.tif 000011
【手続補正４】
【補正対象書類名】図面
【補正対象項目名】図３
【補正方法】変更
【補正の内容】
【図３】
2020130974.tif 000012